(57)【要約】【課題】  部品発注の際、被発注部品を含めこの被発注部品と互換性のある市販部品の中から仕入れ単価が最も安価な部品を選出して、部品の購入に掛かる費用を低減する。【解決手段】  パソコン１と、パソコン１の本体４における記憶メモリに、被発注部品を含めこの被発注部品と互換性のある市販部品の部品データを登録して互換部品データベースを構築し、部品発注の際、キーボード２より被発注部品の部品データ７を入力してこれに適合する部品を本体４内の互換部品データベース８から選出し、選出した部品が複数の場合は、これらの中から仕入単価が最安価な部品を選出し、また、選出部品の部品データを基に本体４により作成された部品発注票９を、プリンタ６出力するとともに、所定の発注先に電子メールを自動送付する。【選択図】  図１
2008234101.tif 000002
【特許請求の範囲】
【請求項１】
少なくとも入力手段、演算手段、出力手段を備えるデータ処理手段と、所定の部品データを格納する互換部品データベースとよりなる部品検索システムであって、被発注部品の部品データを前記データ処理手段における入力手段より入力することにより、前記演算手段が、入力した被発注部品の部品データを基に前記互換部品データベースより被発注部品の部品データに適合する部品を選出し、また適合する部品が複数有する場合は、これらの中から予め指定された条件に適合する部品を選出して、この選出部品の部品データを基に前記データ処理手段内において作成した部品発注票を、必要に応じて前記出力手段により外部出力するように構成してなる部品検索システム。
【請求項２】
前記部品発注票を、被発注部品の発注先に対し所定の回線により自動送信するように構成してなる請求項１に記載の部品検索システム。
【請求項３】
前記互換部品データベースを、少なくとも被検索部品の部品コード、適合部品の部品コード、適合部品のメーカ、適合部品の仕入単価を関連付けて格納してなる請求項１に記載の部品検索システム。
【請求項４】
前記予め指定する条件を、適合部品の仕入単価としてなる請求項１に記載の部品検索システム。
【発明の詳細な説明】
【技術分野】
【０００１】
本発明は、部品検索システムに関し、より詳しくは、被発注部品と互換性を有する部品データを格納している互換部品データベースより、被発注部品に適合し、かつ仕入単価が最安価の部品を選出できる部品検索システムに関する。
【背景技術】
【０００２】
従来、部品を発注する際は、被発注部品に付けられている部品コードを基にパソコン等のデータ処理装置を用いて部品発注票を作成し、この部品発注票を、取引先に対し前記データ処理装置を用いて電子メール等で送付したり、また郵送等によって送付している。（例えば、特許文献１参照）。
【０００３】
しかしながら、市販されている部品の中には本被発注部品と互換性を有し、かつ仕入れ単価が本被発注部品よりも安価なものもあるが、部品発注書を、部品コードを基にパソコン等のデータ処理装置を用いて作成しているため、発注に際し所定の手続きが生じる市販部品よりも、既に部品コードが明確になっていて容易に発注書を作成できる本被発注部品を発注していたので、部品の購入に掛かる費用が非常に嵩んでいた。
【０００４】
【特許文献１】特開２００６−３１８１８４号公報（第１〜９頁、図１〜５）
【発明の開示】
【発明が解決しようとする課題】
【０００５】
本発明は、部品発注の際、被発注部品を含めこの被発注部品と互換性のある市販部品の中から仕入れ単価が最も安価な部品を選出できるようにして、部品の購入に掛かる費用を低減できる部品検索システムを提供できるようにした。
【課題を解決するための手段】
【０００６】
上述した課題を解決するために、本発明に係る部品検索システは、少なくとも入力手段、演算手段、出力手段を備えるデータ処理手段と、所定の部品データを格納する互換部品データベースとよりなる部品検索システムであって、被発注部品の部品データを前記データ処理手段における入力手段より入力することにより、前記演算手段が、入力した被発注部品の部品データを基に前記互換部品データベースより被発注部品の部品データに適合する部品を選出し、また適合する部品が複数有する場合は、これらの中から予め指定された条件に適合する部品を選出して、この選出部品の部品データを基に前記データ処理手段内において作成した部品発注票を、必要に応じて前記出力手段により外部出力するように構成したものとしてある。
【０００７】
また前記部品発注票を、被発注部品の発注先に対し所定の回線により自動送信するように構成したものとしてある。
【０００８】
また前記互換部品データベースを、少なくとも被検索部品の部品コード、適合部品の部品コード、適合部品のメーカ、適合部品の仕入単価を関連付けて格納したものとしてある。
【０００９】
また前記予め指定する条件を、適合部品の仕入単価としたものとしてある。
【発明の効果】
【００１０】
本発明の部品検索システムによれば、部品発注の際、データ処理手段の一つであるパソコンに被発注部品の一部品データである部品コードを入力すれば、被発注部品を含めこの被発注部品と互換性のある市販部品の中から仕入れ単価が最も安価な部品を選出できる。
【００１１】
また、前記選出した部品を基に作成した発注書を、部品の発注先に自動送信できるようにデータ処理手段の一つであるパソコンを設定することで、発注業務を自動化できて、発注の効率アップとコストダウンの両得を期すことができる。
【００１２】
そして、部品発注に際し、発注業務の経験がない者等、誰が行っても仕入れ単価の最も安価な部品をスピーディーに発注できる。
【発明を実施するための最良の形態】
【００１３】
以下、本発明の部品検索システムを添付図面に基づいて説明する。
本部品検索システムは、例えば図１に示すように、市販されているパソコン１をデータ処理手段として使用し、このパソコン１のキーボード２またマウス３を入力手段に、ＣＰＵや記憶メモリ等を内装する本体４を演算手段に、そしてディスプレイ５またプリンタ６を出力手段としている。
【００１４】
そして、パソコン１による処理の説明に際し、図１中における前記入力手段により入力される被発注部品の部品データ（符号７）の一例を図２に示し、前記演算手段の記憶メモリに格納する互換部品データベースの部品データーテーブル（符号８）の一例を図３に示し、前記演算手段のＣＰＵにより作成される部品発注票（符号９）の一例を図４に示している。
【００１５】
パソコン１のおける本体４（記演算手段）の記憶メモリに格納する互換部品データベースは、パソコン１のキーボード２よりキー入力によって登録したり、あるいは互換部品データを記憶するＦＤやＣＤ等の媒体から前記記憶メモリに登録する。また、互換部品データの更新や削除等の処理も、前記キーボード２や前記媒体により行う。
【００１６】
パソコン１による検索処理は、先ず被発注部品の部品データ（符号７）を、予め決めている入力フォーマットに従いパソコン１のキーボード２またマウス３を用いて入力する。
【００１７】
次に、キーボード２またマウス３によって検索開始の操作を行うと、本体４に内装するＣＰＵにより、前記入力された被発注部品の部品データ（符号７）を基に、本体４内の記憶メモリに記憶している互換部品データベースの部品データーテーブル（符号８）より被発注部品の部品データ（符号７）に適合する部品を選出し、また適合する部品が複数有する場合は、これらの中から仕入単価の最も安価な部品を選出するようにしている。
【００１８】
次に、互換部品データベースの部品データーテーブル（符号８）より選出した選出部品の部品データを基に、本体４内のＣＰＵにより部品発注票（符号９）が作成される。
【００１９】
そして、この部品発注票（符号９）が、ディスプレイ５上に表示されたり、またプリンタ６により出力される。
【００２０】
さらに前記部品発注票（符号９）を、電子メール等を利用して被発注部品の発注先に対し自動送信する場合もある。
【００２１】
また、互換部品データベースの部品データーテーブル（符号８）は、被検索部品の部品コード、適合部品の部品コード、適合部品のメーカ、適合部品の仕入単価を関連付けて格納しているが、部品の環境（寒冷地等）仕様や製造地等に関する諸データも関連付けて格納する場合もある。
【００２２】
さらに、前記適合する部品が複数有する場合における選出条件に、前述する仕入単価の最安価な部品以外にも、前記部品の環境（寒冷地等）仕様や製造地等の諸条件を選出条件にする場合もある。
【図面の簡単な説明】
【００２３】
【図１】本発明に係る部品検索システムの構成例を示す図。
【図２】入力部品データのフォーマット例を示す図。
【図３】互換部品データベースのフォーマット例を示す図。
【図４】部品発注票のフォーマット例を示す図。
【符号の説明】
【００２４】
１  パソコン
２  キーボード
３  マウス
４  本体
５  ディスプレイ
６  プリンタ
７  被発注部品の部品データ
８  互換部品データベースの部品データーテーブル
９  部品発注票
【図１】
2008234101.tif 000003
【図２】
2008234101.tif 000004
【図３】
2008234101.tif 000005
【図４】
2008234101.tif 000006